(57)【要約】      （修正有）【課題】防滴用タップは、屋外に設けられ雨が入らないように考慮されており、屋内の厨房や台所で用いる屋内用としての防滴は考慮されていなかった。【解決手段】天板部２と、胴周部３と、胴周脚部３ａと、不安定リブ部４を夫々立設すると共に、刃受口を斜め方向に向けて取り付けた複数のタップ５と、夫々の電源側コード５ａと、タップ５の刃受口に着脱自在に挿通する夫々のプラグ６と、プラグ６を先端に付設した使用機器側コード６ａと、を備え、電源側コード５ａは胴周脚部３ａを貫通させると共に、使用機器側コード６ａを挿通させるために長円形状のコード挿通孔を形成し、コード挿通孔と下方縁辺との間の適宜巾の細長片３ｃに材料特性の可撓性により使用機器側コード６ａを挿脱可能とするスリットを形成したことを特徴とするものである。【選択図】図１
2012238446.tif 000002
【特許請求の範囲】
【請求項１】
略矩形状の天板部と、該天板部の外周縁から外側に拡がるように角度を有して形成した胴周部と、長手方向の相対する前記胴周部辺の適宜巾を延設した夫々の胴周脚部と、前記天板部の外側の長手方向の両端に略半円形状の外形の不安定リブ部を夫々立設すると共に、前記天板部の内側に刃受口を斜め方向に向けて取り付けた複数のタップと、該夫々のタップから延設した商業電源と電気的に接続するための夫々の電源側コードと、前記夫々のタップの刃受口に着脱自在に挿通する夫々のプラグと、該夫々のプラグを先端に付設して使用機器から延設され電気的に接続をするための夫々の使用機器側コードと、を備え、前記電源側コードは前記胴周脚部の前記天板部近傍を貫通させると共に、前記夫々の使用機器側コードを挿通させるための前記複数のタップの刃受口方向の胴周脚部の下方縁辺に沿って長円形状のコード挿通孔を形成し、該コード挿通孔と前記下方縁辺との間の適宜巾の細長片に材料特性の可撓性により前記使用機器側コードを挿脱可能とするスリットを形成したことを特徴とする防滴用タップ。
【請求項２】
前記天板部の長手方向の両端の天板部の巾方向に膨出する排水突出部を形成したこと特徴とする請求項１に記載の防滴用タップ。
【請求項３】
前記天板部の上面に前記夫々のタップに付設した夫々のスイッチを突設させたこと特徴とする請求項１又は請求項２に記載の防滴用タップ。
【発明の詳細な説明】
【技術分野】
【０００１】
本発明は、厨房や台所、洗面所等に設置する防滴用タップに関するものであり、更に詳細には、厨房や台所等の水を用いる場所に設置して水が電気回路に入らないようにして電源を得るための防滴用タップに関するものである。
【背景技術】
【０００２】
従来から、この種の防滴用タップは特に屋外用として開発されたものが殆どで、家屋の外装壁の下方辺や、庭園の片隅等に設けられているものであるが、一般的には天板部を有したカップ状のカバーの開口を下方に向けて、天板部の内側に商業電源に接続されたタップを固定しているものであるが、主として、屋外に設けられ雨が入らないように考慮されており、屋内の厨房や台所で用いる屋内用としての防滴は考慮されていなかった。
【０００３】
例えば、先に開示された防滴用タップは、 壁面に固定される下面開口の防雨カバー１と、規格化された配線器具２のモジュールの複数個分の大きさに形成された中枠３とを具備して防雨型配線器具を形成する。コンセントのような上記規格化された配線器具２が取着された中枠３を防雨カバー１内に取り付ける。市販の汎用される規格化された複数個の配線器具２を中枠３を介して防雨カバー１に組み込んで使用するもの（特許文献１参照）や、防雨ボックスボディ１の内側の開口部の若干幅の奥方に水平に固定させた基板と、基板に栓刃金具の栓刃３ａを下方に突出させて固定したプラグ部３と、基板に栓刃挿通孔４ａを露出させて固定し刃受金具を内装したコンセント部４と、基板に操作ボタン５ａを露出させて固定したブレーカー付スイッチ部５と、を備え、プラグ部３と前記コンセント部４と前記ブレーカー付スイッチ部５とを基板の裏側でコードにより電気的に接続させたもの（特許文献２参照）等が開示されている。
【特許文献１】特開平８−８３６４３号公報
【特許文献２】特開２００９−２９５３６４号公報
【発明の開示】
【発明が解決しようとする課題】
【０００４】
然し乍ら、前述の開示されている特許文献１に記載のものは、防雨カバー１の後方面を壁等に固定し、開口部の近傍に組み込んだ中枠３や化粧枠４と市販されている複数個の配線器具２を備えたもので、その構成は複雑でパーツも多く高価に成るものであり、更に、特許文献２に記載のものは、防雨ボックスボディ１の内側の開口部の奥方に水平に固定させた基板に固定したプラグ部３と、基板に内装したコンセント部４と、基板に固定したブレーカー付スイッチ部５とを備えているものであるが、複雑な構造と成り、更に、何れも、屋外で使用するもので、室内用として考慮されていないものである。
【課題を解決するための手段】
【０００５】
本発明は前記課題に鑑み、鋭意研鑽の結果、これらの課題を解決するもので、天板部と、天板部の外周縁から拡がるように角度を有して形成した胴周部と、長手方向の相対する胴周部辺の適宜巾を延設した胴周脚部と、天板部の外側の長手方向の両端に略半円形状の外形の不安定リブ部を立設すると共に、天板部の内側に刃受口を斜め方向に向けて取り付けた複数のタップと、タップから延設した電源側コードと、タップの刃受口に着脱自在に挿通するプラグと、プラグを先端に付設して使用機器から延設された使用機器側コードと、を備え、電源側コードは胴周脚部の天板部近傍を貫通させると共に、使用機器側コードを挿通させるためのタップの刃受口方向の胴周脚部の下方縁辺に沿って長円形状のコード挿通孔を形成し、コード挿通孔と下方縁辺との間の適宜巾の細長片に材料特性の可撓性により使用機器側コードを挿脱可能とするスリットを形成したものであり、更に、天板部の長手方向の両端の天板部の巾方向に膨出する排水突出部を形成したものであり、更には、天板部の上面に前記夫々のタップに付設した夫々のスイッチを突設させたものである。
【発明の効果】
【０００６】
本発明の防滴用タップは、天板部の外周縁から胴周部を外側に拡がるように角度を有して形成したことと、天板部の内側に複数のタップの刃受口を斜め方向に向けて取り付けたため、プラグの着脱が容易となり、更に、使用機器側コードを挿通させるための複数のタップの刃受口方向の胴周脚部の下方縁辺に沿って長円形状のコード挿通孔を形成し、コード挿通孔と下方縁辺との間の適宜巾の細長片に材料特性の可撓性により使用機器側コードを挿脱可能とするスリットを形成したことにより、複数の使用機器側コードが床と当該防滴用タップを持ち上げることを防止し安定して載置でき、更に、天板部の長手方向の両端の天板部の巾方向に膨出する排水突出部を形成したことにより、当該防滴用タップを横倒しにした時に自然に内側に入った水が開口部から流れ出るもので、画期的で実用性の高い有効な発明である。
【発明を実施するための最良の形態】
【０００７】
以下、本発明の防滴用タップの実施の形態を図面によって具体的に説明すると、図１は本発明の防滴用タップの実施例の正面説明図であり、図２は本発明の防滴用タップの実施例の側面説明図であり、図３は本発明の防滴用タップの次実施例の横倒しにした状態の側面説明図であり、図４は本発明の防滴用タップの他の実施例の正面図である。
【０００８】
本発明は、厨房や台所等、洗面所に設置する防滴用タップ１に関するものであり、更に詳細には、厨房や台所等の水を用いる場所に設置して水が電気回路に入らないようにして電源を得るための防滴用タップ１に関するものであり、請求項１に記載の防滴用タップは、略矩形状の天板部２と、該天板部２の外周縁から外側に拡がるように角度を有して形成した胴周部３と、長手方向の相対する前記胴周部３辺の適宜巾を延設した夫々の胴周脚部３ａと、前記天板部２の外側の長手方向の両端に略半円形状の外形の不安定リブ部４を夫々立設すると共に、前記天板部２の内側に刃受口を斜め方向に向けて取り付けた複数のタップ５と、該夫々のタップ５から延設した商業電源と電気的に接続するための夫々の電源側コード５ａと、前記夫々のタップ５の刃受口に着脱自在に挿通する夫々のプラグ６と、該夫々のプラグ６を先端に付設して使用機器から延設され電気的に接続をするための夫々の使用機器側コード６ａと、を備え、前記電源側コード５ａは前記胴周脚部３ａの前記天板部２近傍を貫通させると共に、前記夫々の使用機器側コード６ａを挿通させるための前記複数のタップ５の刃受口方向の胴周脚部３ａの下方縁辺に沿って長円形状のコード挿通孔３ｂを形成し、該コード挿通孔３ｂと前記下方縁辺との間の適宜巾の細長片３ｃに材料特性の可撓性により前記使用機器側コード６ａを挿脱可能とするスリット３ｄを形成したことを特徴とするものである。
【０００９】
更に、請求項２に記載の防滴用タップは、請求項１に記載の防滴用タップにおいて、前記天板部２の長手方向の両端の天板部２の巾方向に膨出する排水突出部７を形成したこと特徴とするものである。
【００１０】
更には、請求項３に記載の防滴用タップは、請求項１又は請求項２に記載の防滴用タップにおいて、前記天板部２の上面に前記夫々のタップ５に付設した夫々のスイッチ５ｂを突設させたこと特徴とするものである。
【実施例】
【００１１】
即ち、本発明の防滴用タップ１の天板部２は、略矩形状のもので、後述する胴周部３と共に板状の金属、又は、プラスチックをプレス加工、又は、射出成形等の手段により一体に形成するものである。
【００１２】
そして、胴周部３は、天板部２と一体に形成されるもので、天板部２の外周縁から外側に拡がるように角度を有して形成したもので、つまり、開口側に拡がる傾斜面として各辺から成る胴周部３が形成されているものである。
【００１３】
次に、夫々の胴周脚部３ａは、胴周部３の長手方向の相対する位置の胴周部３辺の適宜巾を延設したもので、実施例では開口部に夫々をコ字状に形成して、天板部２を上方に開口部を下方に向けて安定して載置するものである。
【００１４】
次いで、夫々の不安定リブ部４は、天板部２の外側の長手方向の両端に略半円形状の外形を有して夫々立設しているもので、不安定リブ部４は載置した際に開口部が上方に向かないようにしたもので、更には、把持して移動させる摘みにも利用できるものである。
【００１５】
更に、複数のタップ５は、刃受口を備えている汎用のタップと同様なもので、天板部２の内側に刃受口を斜め方向に向けて取り付けたもので、つまり、刃受口が斜め下向きに取り付けられており、プラグの挿脱を容易とするものであり、その数は限定するものでは無いが、２〜６組程度が好適である。
【００１６】
更には、夫々の電源側コード５ａは、汎用されている周知のコードでありタップ５から延設されて商業電源と電気的に接続し電源を得るものであり、先端には壁等に配設された商業電源のコンセントに着脱するプラグ６を付設しているものである。
【００１７】
加えて、夫々のプラグ６は、汎用されている周知のプラグ６であり、夫々のタップ５の刃受口に着脱自在に挿通するもので後述する使用機器側コード６ａの先端に付設されたものである。
【００１８】
更に、使用機器側コード６ａは、前述の電源側コード５ａと同様なもので、タップ５の刃受口に着脱自在に挿通させるプラグ６を先端に付設したコードであり、使用機器から延設されタップ５と電気的接続をするものである。
【００１９】
そして、タップ５から延設された電源側コード５ａは、タップ５の組込時に後方の胴周部３の天板部２の近傍を予め貫通させているもので、貫通部には防水手段を介して貫設させているものである。
【００２０】
更には、コード挿通孔３ｂは、タップ５の刃受口が向いている方向の胴周脚部３ａの下方縁辺に沿って長円形状のコード挿通孔３ｂを形成しているもので、使用機器側コード６ａを挿通させるもので、複数の使用機器側コード６ａを接続させてもコード挿通孔３ｂを通すことで当該防滴タップがコードの反発で持ちあがることを無くしているものである。
【００２１】
そして、スリット３ｄは、下方縁辺と長円形状のコード挿通孔３ｂとの間の適宜巾の細長片３ｃを切断したもので、細長片３ｃの材料特性の可撓性により使用機器側コード６ａを自在に挿脱可能とするものである。
【００２２】
次いで、排水突出部７は、天板部２の長手方向の両端の天板部２の巾方向に膨出させて形成したものであり、つまり、図３に図示するように、当該防滴用タップ１を横倒しにしたような場合、胴周部３の平面が床面から浮き開口方向に水滴が流れるようにしたものである。
【００２３】
次に、図４に図示するように、夫々のタップ５に付設した夫々のスイッチ５ｂを天板部２の上面に突設させたものであり、必要により当該防滴用タップ１でスイッチ５ｂをオンオフできるものである。
【産業上の利用可能性】
【００２４】
本発明は、天板部の外周縁から胴周部を外側に拡がるように角度を有して形成したことと、天板部の内側に複数のタップの刃受口を斜め方向に向けて取り付けたため、プラグの着脱が容易となり、更に、使用機器側コードを挿通させるための複数のタップの刃受口方向の胴周脚部の下方縁辺に沿って長円形状のコード挿通孔を形成し、コード挿通孔と下方縁辺との間の適宜巾の細長片に材料特性の可撓性により使用機器側コードを挿脱可能とするスリットを形成したことにより、複数の使用機器側コードが床と当該防滴用タップを持ち上げることを防止し安定して載置でき、更に、天板部の長手方向の両端の天板部の巾方向に膨出する排水突出部７を形成したことにより、当該防滴用タップを横倒しにした時に自然に内側に入った水が開口部から流れ出る防滴用タップを提供するものである。
【図面の簡単な説明】
【００２５】
【図１】図１は本発明の防滴用タップの実施例の正面説明図である。
【図２】図２は本発明の防滴用タップの実施例の側面説明図である。
【図３】図３は本発明の防滴用タップの次実施例の横倒しにした状態の側面説明図である。
【図４】図４は本発明の防滴用タップの他の実施例の正面図である。
【符号の説明】
【００２６】
１      防滴用タップ
２      天板部
３      胴周部
３ａ    胴周脚部
３ｂ    コード挿通孔
３ｃ    細長片
３ｄ    スリット
４      不安定リブ部
５      タップ
５ａ    電源側コード
５ｂ    スイッチ
６      プラグ
６ａ    使用機器側コード
７      排水突出部
【図１】
2012238446.tif 000003
【図２】
2012238446.tif 000004
【図３】
2012238446.tif 000005
【図４】
2012238446.tif 000006